(57)【要約】【課題】非健常者がプライバシーを守りながら一人でかつ安全に、さらにはコスト安で浴槽内に出入りすることを可能にし、さらには交換が必要となるパッキン部材などの消耗品を必要としない浴槽開口部のスライドドアおよびこのスライドドアが具備されたまたがない浴槽を提供する。【解決手段】側壁面２０の一部に上縁から床方向に向かって略矩形状の開口部２２が形成された浴槽本体１０ａの上縁に配置され、この上縁に沿って水平方向に移動可能なスライド板部４と、浴槽本体１０ａの内側面に、開口部２２を内側から覆うように配置される側壁スライド板部６と、を備えたスライドドア２２を、開口部２２が形成された浴槽本体１０ａに対してスライド自在に取り付けし、非健常者等が片足を上げなくても浴槽本体１０ａ内に移動できるようにした。【選択図】図１
2017144166.tif 000002
【特許請求の範囲】
【請求項１】
側壁面の一部に上縁から床方向に向かって略矩形状の開口部が形成された浴槽本体の上縁に配置され、この上縁に沿って水平方向に移動可能なスライド板部と、
前記浴槽本体の内側面に、前記開口部を内側から覆うように配置される側壁スライド板部と、を備えたことを特徴とするまたがない浴槽のスライドドア。
【請求項２】
前記スライド板部には、前記側壁スライド板部に対して所定間隔離間して配置されるガイド板部を備えていることを特徴とする請求項１に記載のまたがない浴槽のスライドドア。
【請求項３】
側壁部の一部に上縁から床方向に向かって略矩形状の開口部が形成された浴槽本体と、
前記開口部が形成された前記浴槽本体の側壁面に密着して配置される平滑板部材と、
前記浴槽本体の前記開口部を開放または遮蔽するスライドドアとを備え、
前記スライドドアは、
前記浴槽本体の上縁に沿って水平方向に移動可能なスライド板部と、
前記浴槽本体の内側面に前記開口部を内側から覆うように配置され、前記スライド板部に一体的に接続された側壁スライド板部と、
前記側壁スライド板部に対して所定間隔離間して配置され、前記スライド板部に一体的に接続されたガイド板部とから構成されており、
前記スライド板部を操作し、前記側壁スライド板部が前記開口部を覆う位置に配置されたときに、前記開口部が閉とされ、
前記スライド板部を操作し、前記側壁スライド板部が前記開口部から移動したときに前記開口部が開とされることを特徴とするまたがない浴槽。
【請求項４】
前記浴槽本体が木質により形成されているとともに、前記平滑部材と前記側壁スライド板部と前記ガイド部材とが合成樹脂により形成されていることを特徴とする請求項３に記載のまたがない浴槽。
【請求項５】
前記浴槽本体が、底板部と該底板部から立ち上がった四側壁部とから構成されているとともに、前記底板部と前記四側壁部とは分解と組立が可能であることを特徴とする請求項３または４に記載のまたがない浴槽。
【発明の詳細な説明】
【技術分野】
【０００１】
本発明は、浴槽のまたぎ高さが調整でき、側壁部に形成した開口部から、浴槽に出入りすることを容易にしたまたがない浴槽開口部のスライドドアおよびこのスライドドアが具備された浴槽に関する。
【背景技術】
【０００２】
一般的に浴槽は、成人の健常者を基準に、大きさや形状が決められている。
このため、非健常者が使用する場合には、使用しにくい場合がある。
例えば、非健常者が一人で入浴しようとした場合、非健常者は浴槽の側壁を、片足を上げ跨いで入る必要があるが、このような動作は、非健常者にとっては危険を伴うものであって、転倒事故の要因になる。
【０００３】
一方、非健常者が浴槽内に入るために、非健常者をリフトで持ち上げて入ることも行われているが、このような手段は、付随する装置が高価になってしまうともに、他の人の手を借りないと浴槽内に入ることができず、費用およびプライバシーを望む観点からは敬遠される手段である。
上記の問題を解決するため、例えば、本出願人により特許文献１に開示されている浴槽が提供され、好評を博している。
【０００４】
この特許公報には、上下方向に配置された一対のガイドレールに沿ってシャッター部材が上下に移動する浴槽が開示されている。
ところが、このような浴槽は、メンテナンス上、パッキン部材などの消耗品を交換しなければならない場合がある。
【先行技術文献】
【特許文献】
【０００５】
【特許文献１】特許第４１８３２６９号公報
【発明の概要】
【発明が解決しようとする課題】
【０００６】
本発明は、特に、非健常者がプライバシーを守りながら一人でかつ安全に、さらにはコスト安で浴槽内に出入りすることを可能にし、さらには交換が必要となるパッキン部材などの消耗品を必要としないまたがない浴槽開口部のスライドドアおよびこのスライドドアが具備された浴槽を提供することを目的とする。
【課題を解決するための手段】
【０００７】
上記目的を達成するための本発明に係るまたがない浴槽開口部のスライドドアは、
側壁面の一部に上縁から床方向に向かって略矩形状の開口部が形成された浴槽本体の上縁に配置され、この上縁に沿って水平方向に移動可能なスライド板部と、
前記浴槽本体の内側面に、前記開口部を内側から覆うように配置される側壁スライド板部と、を備えたことを特徴としている。
【０００８】
このような構成の浴槽開口部のスライドドアは、周期的に交換が必要なパッキン部材などが使用されていないため、交換部品が不要でメンテナンス作業が簡易で良く、さらには簡易な構成であるので、安価に作製することができる。
【０００９】
ここで、本発明では、前記スライド板部には、前記側壁スライド板部に対して所定間隔離間して配置されるガイド板部を備えていることが好ましい。
このような構成であれば、浴槽の側壁面に対し側壁スライド板部とガイド板部とを緊密に挟持させることができるので、側壁スライド板部を手で支えなくても、側壁スライド板部が浴槽の側壁面から離反することがない。
【００１０】
さらに本発明に係るまたがない浴槽は、
側壁部の一部に上縁から床方向に向かって略矩形状の開口部が形成された浴槽本体と、
前記開口部が形成された前記浴槽本体の側壁面に密着される平滑板部材と、
前記浴槽本体の前記開口部を開放または遮蔽するスライドドアとを備え、
前記スライドドアは、
前記浴槽本体の上縁に沿って水平方向に移動可能なスライド板部と、
前記浴槽本体の内側面に前記開口部を内側から覆うように配置され、前記スライド板部に一体的に接続された側壁スライド板部と、
前記側壁スライド板部に対して所定間隔離間して配置され、前記スライド板部に一体的に接続されたガイド板部とから構成されており、
前記スライド板部を操作し、前記側壁スライド板部が前記開口部を覆う位置に配置されたときに、前記開口部が閉とされ、
前記スライド板部を操作し、前記側壁スライド板部が前記開口部から移動したときに前記開口部が開とされることを特徴としている。
このような浴槽であれば、非健常者であってもスライドドアを操作して、開口部を開放すれば、片足を上げて跨がなくても一人で浴槽内に入ったり出たりすることができる。
【００１１】
さらに、本発明では、
前記浴槽本体が木質により形成されているとともに、前記平滑部材と前記側壁スライド板部と前記ガイド部材とが合成樹脂により形成されていることが好ましい。
このような構成であれば、浴槽寸法の自由度を増大させることができるとともに、湯水を蓄えた場合の水密性を良好に構築することが可能となる。
【００１２】
また、本発明では、
前記浴槽本体が、底板部と該底板部から立ち上がった四側壁部とから構成されているとともに、前記底板部と前記四側壁部とは分解と組立が可能であっても良い。
【００１３】
このように浴槽本体が分解と組立が可能に構成されていれば、生産性に優れコンパクトであることから大量生産したものを各地に配送して、配送先で利用者が組み立てることも可能である。また、浴槽本体が破損するようなことがあれば、破損した側壁部のみを交換することも可能である。
【発明の効果】
【００１４】
本発明に係るスライドドアは、パッキン部材のように交換が必要となる部材が不要であることからメンテナンス性に優れており、さらには簡易な構成であるので安価である。
また、本発明に係るスライドドアを使用したまたがない浴槽によれば、スライドドアを水平方向にスライドさせることにより開口部を開放または遮蔽のいずれかに設定することができるので、開口部を開放した状態に設定すれば、非健常者が片足を上げずとも浴槽内外に出入りすることができる。
【００１５】
またスライドドアにより開口部を遮蔽した状態に設定し、浴槽内に湯水を蓄えれば、側壁スライド板部と平滑板部材との間の極小の隙間に入り込んだ水分により表面張力が発生し、この表面張力により、側壁スライド板部と平滑板部材との間の隙間が緊密にシールされることになる。これにより、漏れを防止して快適かつ安全に入浴できる。
さらに、平滑部材と側壁スライド板部とガイド板部とがそれぞれ合成樹脂により形成されていれば、握力の弱い人であっても、スライドドアを簡単に操作することができる。
【図面の簡単な説明】
【００１６】
【図１】図１は本発明の一実施例に係るスライドドアの斜視図である。
【図２】図２は本発明の一実施例に係るまたがない浴槽の斜視図である。
【図３】図３は、図１に示したスライドドアを図２に示した浴槽に取り付けたときの概略正面図である。
【図４】図４は図３に示した状態からスライドドアをスライド移動させて開口部を開放したときの正面図である。
【図５】図５は湯水が溜まった時の開口部付近を示した断面図である。
【発明を実施するための形態】
【００１７】
以下、図面を参照しながら、本発明の一実施例に係るまたがない浴槽開口部のスライドドアおよびこのスライドドアが具備された浴槽について説明する。
図１は本発明の一実施例に係るまたがない浴槽開口部のスライドドアを示した斜視図で、図２は、図１のスライドドアが装着される浴槽を示したものである。
【００１８】
図１に示したスライドドア２は、全体として略コ字状を呈するもので、断面略凸状に形成されたスライド板部４と、このスライド板部４の一方側（浴槽の内方側）に垂下するように取付られた側壁スライド板部６と、スライド板部４の他方側（浴槽の外方側）に垂下するように取付られたガイド板部８とから構成され、ガイド板部８は側壁スライド板部６に比べて若干短く形成されている。また、側壁スライド板部６の長さＬは、後述する開口部２２の幅より長い。
【００１９】
上記スライド板部４は、図２に示した浴槽本体１０ａと同じ材質からなり、例えば、図２に示した浴槽本体１０ａがヒノキである場合は、スライド板部４もヒノキから形成されている。
【００２０】
上記側壁スライド板部６とガイド板部８は、互いに対向しており、これらは合成樹脂、例えば、アクリルにより形成されている。浴槽の内方側に配置される側壁スライド板部６の厚さは６〜１０ｍｍ程度の厚さであることが好ましく、本実施例では８ｍｍである。一方、ガイド板部８の厚さは、側壁スライド板部６の厚さと同程度の厚さであることが好ましく、本実施例では、８ｍｍに設定されている。
【００２１】
次に、図２を参照しながら本実施例の一実施例に係る浴槽について説明する。
本実施例の浴槽１０は、上面が開口して形成された浴槽本体１０ａと、浴槽本体１０ａの内部に内張りされた平滑板部材２６とから構成されている。
【００２２】
浴槽本体１０ａは、１つの側壁部２０に略矩形状の開口部２２を有する以外は、一般的な浴槽と同様のものであり、例えば、ヒノキなどの木、あるいは繊維強化プラスチック等から形成されている。
【００２３】
上記浴槽本体１０ａは底板部１２と該底板部１２から立ち上がった四側壁部１４，１６，１８，２０とから構成され、浴槽本体１０ａを構成する長尺方向の１つの側壁部２０には、上縁から床方向に向かって略矩形状の開口部２２が形成されている。また、開口部２２の上下４つの角部には、それぞれ面取り２２ａが形成されている。
このように形成された浴槽本体１０ａに対し、平滑板部材２６は、側壁部２０の内側に接着剤などで密着されている。
【００２４】
一方、浴槽本体１０ａの内側に、予め接着剤で密着される平滑板部材２６は、例えば、３ｍｍ厚のアクリルにより形成されている。なお、平滑板部材２６はアクリルに限定されず、他の合成樹脂から形成されていても良い。
【００２５】
このように平滑板部材２６が予め内側に密着された浴槽本体１０ａに対して、略コ字状のスライドドア２は、例えば、図３に示したように浴槽本体１０ａの上縁に沿って水平方向にスライド自在にセットされる。
【００２６】
なお、浴槽本体１０ａ内には、入浴の前段階として開口部２２の下端部付近にまで、湯水を溜めておくことが好ましい。このように予め湯水のレベルを可能な限り高くしておけば、その後、注ぎ足して湯船の高さにするまでの時間を短縮することができる。
【００２７】
ここで、図３に示した状態をスライドドア２の初期状態として、開口部２２を遮蔽しない位置に配置しておけば、非健常者は、側壁部２０の上縁を跨ぐことなく、浴槽本体１０ａ内に移動することができる。したがって、入浴者が他の人に頼らずとも、浴槽本体１０ａ内に一人で入ることが容易になる。
【００２８】
その後、入浴者が浴槽本体１０ａ内に入ったら、入浴者自身でスライドドア２のスライド板部４を操作し、図３に示した矢印方向にゆっくりとスライド移動させれば、内側の側壁スライド板部６がこれに伴って移動し、最終的には、図４に示したように、側壁スライド板部６により開口部２２が遮蔽される。
【００２９】
なお、スライドドア２が図４の状態にあるとき、浴槽本体１０ａ内の湯水４０は、図５の断面図に示したように、側壁スライド板部６と平滑板部材２６との隙間に入り込み、この隙間に入り込んだ湯水の表面張力によりシール面を構築することができる。これにより、湯水が開口部２２の外部に漏れてしまうことを可及的に防止することができる。
【００３０】
さらに、非健常者等の入浴が完了したら浴槽本体１０ａ内から湯水を抜き、その後、入浴者がスライドドア２のスライド部材４を手で押さえて、図４の矢印で示したように、スライド移動させれば、側壁スライド板部６を元の開放位置にまで移動させることができる。すると、ここに開口部２２が再度露呈されるので、入浴者は一人で浴槽本体１０ａから浴槽外に出ることが容易となる。このように本実施例では、入浴者がプライバシーを気にしないで一人で入浴することが可能になる。
以上、本発明の一実施例に係る浴槽開口部のスライドドアおよびこのスライドドアが具備された浴槽について説明したが、本発明は、これに何ら限定されない。
【００３１】
例えば、上記実施例では、浴槽本体１０ａが工業などで予め一体に組立られている例を示したが、本発明は、これに限定されない。
例えば、浴槽本体１０ａを構成する底板部１２と、側壁部１４、１６、１８、２０とを予め一体にするのではなく、分解可能に形成すれば、それらの部品を１セットにして現場に運んでから、現場で組み立てることも可能である。
【００３２】
このように構成すれば、仮に一部の側壁部に孔が空いた場合などには、その一部の側壁部のみを取り外して交換することも可能になる。
以上、本発明の一実施例について説明したが、本発明は、上記実施例に何ら限定されない。
【００３３】
例えば、上記実施例のスライドドア２では、スライド板部４に側壁スライド板部６の他にガイド板部８が接合されているが、このガイド板部８は、必須のものではない。スライド板部４と側壁スライド板部６とがあれば、本発明の所望とする効果を奏することが可能である。しかしながら、スライドさせる場合の操作性を考慮すれば、ガイド板部８が具備されている方が実際的である。
【００３４】
また上記実施例では、浴槽１０を新たに納入する場合について説明したが、場合によっては、スライドドア２と平滑板部材２６とを用意して納入すれば、現場加工で既設の浴槽から、開口部付きの浴槽に変更して使用することも可能である。
【００３５】
また、側壁スライド板部６を透明板により形成すれば、外部からの視認性が良好になるので介護が必要な人が入浴する場合などに、浴槽外から内部の様子を確認することもできる。
また上記実施例では非健常者が入浴する場合を例にして説明したが、勿論、健常者や子供であっても同様に入浴することができる。
【符号の説明】
【００３６】
２                          スライドドア
４                          スライド板部
６                          側壁スライド板部
８                          ガイド板部
１０                        浴槽
１０ａ                      浴槽本体
１２                        底壁部
１４，１６，１８，２０      側壁部
２２                        開口部
４０                        湯水
【図１】
2017144166.tif 000003
【図２】
2017144166.tif 000004
【図３】
2017144166.tif 000005
【図４】
2017144166.tif 000006
【図５】
2017144166.tif 000007